Podtech/llm-jp-corpus-v4-ja_patent huggingface dataset:
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
ワイヤレス通信を管理するための方法であって、
少なくとも第1のワイヤレス通信デバイスを使用して、無認可帯域のチャネルのタイムスロットのサブセットを選択するステップと、
前記第1のワイヤレス通信デバイスを使用して、タイムスロットの前記選択されたサブセット中に、前記チャネル上のトラフィックを監視するステップであり、前記チャネル上の前記トラフィックを監視するステップが、
タイムスロットの前記選択されたサブセットの1つまたは複数のタイムスロット中に、前記無認可帯域において信号が送信されているかどうかを判定するステップと、
前記信号が送信されていると判定したことに応答して、タイムスロットの前記選択されたサブセットの隣接するタイムスロット間のデューティサイクルを動的に変更することによって、前記チャネルのタイムスロットの更新されたサブセットを選択するステップであり、前記デューティサイクルを動的に変更することが、タイムスロットの前記更新されたサブセットの隣接するタイムスロット間の選択されていないタイムスロットの数を増やすことを含む、ステップと
を含むステップと、
前記第1のワイヤレス通信デバイスを使用して、タイムスロットの前記更新されたサブセットに基づいて選択された送信タイムスロット中に、第2のワイヤレス通信デバイスとデータを通信するステップと
を含む方法。
【請求項２】
前記チャネルが前記無認可帯域の少なくとも1つの他のチャネルよりも低いトラフィック負荷を有すると判定したことに基づいて、前記無認可帯域の複数のチャネルの中から前記チャネルを選択するステップをさらに含む、請求項1に記載の方法。
【請求項３】
タイムスロットの前記選択されたサブセットの各タイムスロットが、前記チャネル上の前記監視されたトラフィックに基づいて、ランダムな数の選択されていないタイムスロットによってタイムスロットの前記選択されたサブセットの隣接するタイムスロットから分離され、
選択されていないタイムスロットの前記数を増やすために異なるタイムスロットを前記選択することが、タイムスロットの前記更新されたサブセットの前記隣接するタイムスロット間の前記ランダムな数の選択されていないタイムスロットを増やすことを含む、
請求項1に記載の方法。
【請求項４】
タイムスロットの前記選択されたサブセットの1つまたは複数のタイムスロットを複数のサブスロットに細分するステップをさらに含む、請求項1に記載の方法。
【請求項５】
前記無認可帯域の前記チャネル上のトラフィックを監視する前記ステップが、前記複数のサブスロットのうちの1つまたは複数のサブスロット中に、前記無認可帯域において信号が送信されているかどうかを判定するステップを含む、請求項4に記載の方法。
【請求項６】
前記無認可帯域の前記チャネル上のトラフィックを監視する前記ステップが、送信されるべきデータの量に基づいて、トラフィックについて監視される前記複数のサブスロットのサブスロット数を変更するステップをさらに含む、請求項4に記載の方法。
【請求項７】
前記無認可帯域の前記チャネル上のトラフィックを監視する前記ステップが、基準信号を復号することによって前記無認可帯域上に進行中の送信が存在すると判定するステップをさらに含む、請求項1に記載の方法。
【請求項８】
前記基準信号が、ショートトレーニングフィールド、ロングトレーニングフィールド、またはレガシー互換信号フィールドのうちの1つまたは複数を含む、請求項7に記載の方法。
【請求項９】
前記チャネル上のトラフィック負荷データを、前記第2のワイヤレス通信デバイスとの間で送信または受信するステップをさらに含む、請求項1に記載の方法。
【請求項１０】
前記チャネル上でプローブ信号を送信するステップと、
前記チャネル上のトラフィック負荷を判定するために、プローブ応答について1つまたは複数のチャネルを監視するステップと
をさらに含む、請求項1に記載の方法。
【請求項１１】
請求項1から10のいずれか一項に記載の方法を実行するための手段を備えるワイヤレス通信デバイス。
【手続補正書】
【提出日】令和1年8月8日(2019.8.8)
【手続補正１】
【補正対象書類名】明細書
【補正対象項目名】００６１
【補正方法】変更
【補正の内容】
【００６１】
図６Ａおよび６Ｂは、本発明の別の例示的実施形態による、本明細書で説明される回路および／または方法を組み込んだ暗視野検査システム２００の態様を図示する。図６Ａにおいて、照射光学素子２０１は、被検ウェハまたはフォトマスク（試料）２１１の表面上のライン２０５に、鏡またはレンズ２０３によって集束される光２０２を生成するレーザーシステム２２０を備える。収集光学素子２１０は、ライン２０５から散乱された光をレンズおよび／または鏡２１２および２１３を用いてセンサ２１５に指向させる。収集光学素子２１０の光軸２１４はライン２０５の照射面にはない。いくつかの実施形態において、光軸２１４はライン２０５に対して略垂直である。センサ２１５は、リニアアレイセンサ等のアレイセンサを備えている。本明細書で説明される回路および／または方法のうち１以上は、センサ２１５を駆動、制御または読み出すために用いられる。
【手続補正２】
【補正対象書類名】明細書
【補正対象項目名】００７６
【補正方法】変更
【補正の内容】
【００７６】
２つのピクセルの垂直ビニングを記載する図９Ｂの例において、ラインクロックは、垂直クロック９０１Ｂ、９０２Ｂおよび９０３Ｂの期間よりも２倍長い期間を有するように時間調節されており、同様に、垂直クロックはラインクロックの周波数の二倍の周波数に時間調節されている。本発明の別実施形態において、ビニングは、２を超えるピクセル、例えば３以上のピクセルからの電荷をピクセルバッファ１２０−１のもとに合算することによって実行されることができ、合算される所与の個数のピクセル信号について、垂直クロックの周波数は、ラインクロック周波数の同じ個数での倍数になる。
【手続補正３】
【補正対象書類名】図面
【補正対象項目名】図１０
【補正方法】変更
【補正の内容】
【図１０】
2018525930.tif 000001
【手続補正４】
【補正対象書類名】図面
【補正対象項目名】図１１
【補正方法】変更
【補正の内容】
【図１１】
2018525930.tif 000002
【手続補正５】
【補正対象書類名】図面
【補正対象項目名】図１２
【補正方法】変更
【補正の内容】
【図１２】
2018525930.tif 000003
【手続補正６】
【補正対象書類名】図面
【補正対象項目名】図１３
【補正方法】変更
【補正の内容】
【図１３】
2018525930.tif 000004
【手続補正７】
【補正対象書類名】図面
【補正対象項目名】図１４
【補正方法】変更
【補正の内容】
【図１４】
2018525930.tif 000005
【手続補正８】
【補正対象書類名】図面
【補正対象項目名】図１５
【補正方法】変更
【補正の内容】
【図１５】
2018525930.tif 000006
【手続補正９】
【補正対象書類名】図面
【補正対象項目名】図１６
【補正方法】変更
【補正の内容】
【図１６】
2018525930.tif 000007
【手続補正１０】
【補正対象書類名】図面
【補正対象項目名】図１７
【補正方法】変更
【補正の内容】
【図１７】
2018525930.tif 000008
【手続補正１１】
【補正対象書類名】図面
【補正対象項目名】図１８
【補正方法】変更
【補正の内容】
【図１８】
2018525930.tif 000009
【手続補正１２】
【補正対象書類名】図面
【補正対象項目名】図１９
【補正方法】変更
【補正の内容】
【図１９】
2018525930.tif 000010
【手続補正１３】
【補正対象書類名】図面
【補正対象項目名】図２０
【補正方法】変更
【補正の内容】
【図２０】
2018525930.tif 000011
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
無線通信システムにおいて端末（ＵＥ）が無線ローカルエリアネットワーク（ＷＬＡＮ）測定を実行する方法であって、当該方法は、
測定設定を受信するステップを含み、
前記測定設定は、前記ＵＥによって検出され且つリストされていない第１のＷＬＡＮアクセスポイント（ＡＰ）の測定報告に関する情報を含んでおり、
当該方法は、測定報告を実行するステップを含み、
前記測定報告は、前記情報が前記第１のＷＬＡＮ  ＡＰの測定報告が許容されていることを表すことに基づいて、前記第１のＷＬＡＮ  ＡＰの識別子を含み、
前記測定報告は、前記情報が前記第１のＷＬＡＮ  ＡＰの測定報告が許容されていないことを表すことに基づいて、リストされた第２のＷＬＡＮ  ＡＰの識別子を含む方法。
【請求項２】
前記情報が前記第１のＷＬＡＮ  ＡＰの測定報告が許容されていることを表すことに基づいて、前記測定報告は、前記第１のＷＬＡＮ  ＡＰの識別子と、リストされた第２のＷＬＡＮ  ＡＰの識別子の両方を含む
請求項１に記載の方法。
【請求項３】
前記測定設定は、ＷＬＡＮ周波数情報を含む
請求項１に記載の方法。
【請求項４】
前記測定設定は、ＷＬＡＮ周波数リスト、ＷＬＡＮ  ＡＰ  ＩＤリスト及びＷＬＡＮ  ＡＰ  グループＩＤリストのうち少なくとも一つを含む
請求項１に記載の方法。
【請求項５】
前記ＵＥによって、前記情報に基づいて、前記測定報告に含まれる少なくとも一つ以上のＷＬＡＮ  ＡＰを決定するステップを更に含む
請求項１に記載の方法。
【請求項６】
前記測定設定は、サービングセルから受信される
請求項１に記載の方法。
【請求項７】
測定対象において前記情報は含まれる
請求項１に記載の方法。
【請求項８】
無線通信システムにおいて無線ローカルエリアネットワーク（ＷＬＡＮ）測定を実行するための端末（ＵＥ）であって、当該ＵＥは、
メモリと、
送受信機と、
前記メモリと前記送受信機に作動的に結合されたプロセッサと、
を備え、
前記プロセッサは、測定設定を受信するように前記送受信機を制御するように構成され、
前記測定設定は、前記ＵＥによって検出され且つリストされていない第１のＷＬＡＮアクセスポイント（ＡＰ）の測定報告に関する情報を含んでおり、
前記プロセッサは、測定報告を実行するように構成され、
前記測定報告は、前記情報が前記第１のＷＬＡＮ  ＡＰの測定報告が許容されていることを表すことに基づいて、前記第１のＷＬＡＮ  ＡＰの識別子を含み、
前記測定報告は、前記情報が前記第１のＷＬＡＮ  ＡＰの測定報告が許容されていないことを表すことに基づいて、リストされた第２のＷＬＡＮ  ＡＰの識別子を含む端末。
【請求項９】
前記情報が前記第１のＷＬＡＮ  ＡＰの測定報告が許容されていることを表すことに基づいて、前記測定報告は、前記第１のＷＬＡＮ  ＡＰの識別子と、リストされた第２のＷＬＡＮ  ＡＰの識別子の両方を含む
請求項８に記載の端末。
【請求項１０】
前記測定設定は、ＷＬＡＮ周波数情報を含む
請求項８に記載の端末。
【請求項１１】
前記測定設定は、ＷＬＡＮ周波数リスト、ＷＬＡＮ  ＡＰ  ＩＤリスト及びＷＬＡＮ  ＡＰ  グループＩＤリストのうち少なくとも一つを含む
請求項８に記載の端末。
【請求項１２】
前記プロセッサは更に、前記情報に基づいて、前記測定報告に含まれる少なくとも一つ以上のＷＬＡＮ  ＡＰを決定するように構成されている
請求項８に記載の端末。
【請求項１３】
前記測定設定は、サービングセルから受信される
請求項８に記載の端末。
【請求項１４】
測定対象において前記情報は含まれる
請求項８に記載の端末。
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
以下のａ）、ｂ）又はｃ）を含むか、ａ）、ｂ）又はｃ）からなる単離されたポリヌクレオチド。
ａ）配列番号１又は配列番号２の核酸配列、
ｂ）配列番号１又は配列番号２の核酸配列と少なくとも５０％の配列同一性を有する核酸配列であって、前記ポリヌクレオチド及び／又は前記ポリヌクレオチドの発現産物及び／又は前記ポリヌクレオチドによってコードされるタンパク質が、植物又は植物細胞に複相胞子生殖機能を提供することができるものである核酸配列、
ｃ）ａ）又はｂ）のポリヌクレオチドの断片であって、前記断片及び／又は前記断片の発現産物及び／又は前記断片によってコードされるタンパク質が、植物又は植物細胞に複相胞子生殖機能を提供することができるものである断片。
【請求項２】
前記発現産物が、ＲＮＡ分子、好ましくはｍＲＮＡ分子、ｓｉＲＮＡ又はｍｉＲＮＡ分子である、請求項１に記載のポリヌクレオチド。
【請求項３】
以下のａ）、ｂ）又はｃ）を含むか、ａ）、ｂ）又はｃ）からなる単離されたポリペプチド。
ａ）配列番号３のアミノ酸配列、
ｂ）配列番号３のアミノ酸配列と少なくとも５０％の配列同一性を有するアミノ酸配列であって、前記ポリペプチドが、植物又は植物細胞に複相胞子生殖機能を提供することができるものである、アミノ酸配列、
ｃ）ａ）又はｂ）のアミノ酸配列の断片であって、前記断片が、植物又は植物細胞に複相胞子生殖機能を提供することができる断片。
【請求項４】
請求項１又は２に記載のポリヌクレオチドを含むキメラ遺伝子。
【請求項５】
請求項１又は２に記載のポリヌクレオチド、又は請求項４に記載のキメラ遺伝子を含む、遺伝子構築物。
【請求項６】
請求項１又は２に記載のポリヌクレオチド、請求項４に記載のキメラ遺伝子、又は請求項５に記載の遺伝子構築物に作動可能に連結された、植物細胞において活性なプロモーター配列を含む核酸ベクター。
【請求項７】
請求項４に記載のキメラ遺伝子を含む植物、植物部分、植物細胞、請求項５に記載の遺伝子構築物、及び／又は請求項６に記載の核酸ベクターであって、
前記遺伝子、構築物及び／又はベクターが、少なくとも雌性子房、好ましくは大胞子母細胞及び／又は雌性配偶子に存在する及び／又は発現される、前記植物、植物部分、植物細胞、遺伝子構築物、及び／又は核酸ベクター。
【請求項８】
前記植物のアポミクティック種子である及び／又はそれが発生した植物のクローンである、請求項７に記載の植物の種子。
【請求項９】
植物、植物部分又は植物細胞に複相胞子生殖を付与するための方法であって、
ａ）前記植物、植物部分又は植物細胞を、請求項１又は２に記載のポリヌクレオチド、請求項４に記載のキメラ遺伝子、請求項５に記載の遺伝子構築物、及び／又は請求項６に記載の核酸ベクターを用いて形質転換するステップ；並びに
ｂ）任意選択で前記ポリヌクレオチド、断片、遺伝子、構築物及び／又はベクターが、少なくとも雌性子房、好ましくは大胞子母細胞及び／又は雌性配偶子に存在し及び／又は発現される、植物を再生するステップ
を含む、方法。
【請求項１０】
植物、植物部分又は植物細胞に複相胞子生殖を付与するための方法であって、
ａ）植物、植物部分又は植物細胞において、内在性ポリヌクレオチド又はポリヌクレオチドの断片、好ましくは液胞タンパク質選別関連タンパク質遺伝子を改変して、改変後に植物、植物部分又は植物細胞が、請求項１又は２に記載のポリヌクレオチドを含むステップ；及び
ｂ）任意選択で植物を再生するステップ
を含み、
好ましくは、前記改変されたポリヌクレオチド又はポリヌクレオチドの断片が、少なくとも雌性子房、好ましくは大胞子母細胞及び／又は雌性配偶子に存在する、方法。
【請求項１１】
請求項９又は１０に記載の方法によって得ることができる又は得られた複相胞子生殖植物、植物部分又は植物細胞。
【請求項１２】
アポミクティック種子を生産するための方法であって、
ａ）請求項１又は２に記載のポリヌクレオチド、請求項４に記載のキメラ遺伝子、請求項５に記載の遺伝子構築物、及び／又は請求項６に記載の核酸ベクターを用いて植物、植物部分又は植物細胞を形質転換して、一次形質転換体を生産するステップ；
ｂ）前記一次形質転換体由来の顕花植物及び／又は花を生育するステップであって、ここで、前記ポリヌクレオチド、断片、遺伝子、構築物及び／又はベクターが、少なくとも雌性子房、好ましくは大胞子母細胞及び／又は雌性配偶子に存在する及び／又は発現されるステップ；並びに
ｃ）好ましくは四倍体植物の花粉又は前記一次形質転換体の自家花粉を用いて、種子の生産を誘導するために前記一次形質転換体を受粉するステップ
を含み、
好ましくは、前記植物、植物部分又は植物細胞が単為生殖能を有する、方法。
【請求項１３】
雑種植物のクローンを生産するための方法であって、
ａ）請求項７又は１１に記載の植物の花粉を用いて有性的に生殖する植物を他家受精させて、Ｆ１雑種種子を生産するステップ；
ｂ）請求項１又は２に記載のポリヌクレオチド、又は請求項３に記載のポリペプチドを、少なくとも雌性子房において、好ましくは大胞子母細胞及び／又は雌性配偶子において含み、及び／又は発現するＦ１植物を選択するステップ；
ｃ）任意選択で、好ましくは四倍体植物の花粉を用いて、種子の生産を誘導するために、前記選択されたＦ１植物を受粉するステップ；及び
ｄ）種子を収穫するステップ；並びに
ｅ）任意選択で前記種子から雑種クローン植物を生育させるステップ
を含み、
好ましくは、前記植物、植物部分又は植物細胞が単為生殖能を有し、前記クローンがアポミクティッククローンである、方法。
【請求項１４】
請求項１３に記載の方法によって得ることができる又は得られた雑種植物。
【請求項１５】
植物において複相胞子生殖、倍数体化及び／又はアポミクシスを誘導するための、請求項１又は２に記載のポリヌクレオチド又は断片の使用。
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
生息場所内で機能を実行するように構成され、識別データを記憶する生息場所機能装置と、
前記生息場所機能装置に電力を供給し、前記生息場所機能装置に命令を送信するように構成された生息場所制御ハブと、
を備える生息場所制御システム。
【請求項２】
前記生息場所制御ハブには、スイッチのない電力供給装置が含まれ、前記生息場所機能装置に常時電力を供給する、請求項１に記載の生息場所制御システム。
【請求項３】
前記生息場所機能装置と前記生息場所制御ハブとの間に電気経路を形成するケーブルをさらに備える、請求項１から２の何れか一項に記載の生息場所制御システム。
【請求項４】
前記ケーブルが、前記生息場所機能装置に接続するように構成された第１のコネクタと、前記生息場所制御ハブに接続するように構成された第２のコネクタと、を備える、請求項３に記載の生息場所制御システム。
【請求項５】
前記ケーブルが、前記生息場所機能装置と一体である、請求項３から４の何れか一項に記載の生息場所制御システム。
【請求項６】
前記生息場所機能装置が、前記ケーブルを介して前記生息場所機能装置に常時電力を供給し、前記ケーブルを介して前記生息場所機能装置に命令を送信するように構成される、請求項３から５の何れか一項に記載の生息場所制御システム。
【請求項７】
前記生息場所機能装置が、前記識別データを前記生息場所制御ハブに送信するように構成される、請求項１から６の何れか一項に記載の生息場所制御システム。
【請求項８】
生息場所制御エンジンを有するユーザコンピューティングデバイスをさらに備え、前記生息場所制御エンジンが、
前記生息場所制御ハブから、前記生息場所機能装置によって送信された識別データを受信し、
前記識別データに基づいて、前記生息場所機能装置への命令フォーマットを決定する
ように構成される、請求項１から７の何れか一項に記載の生息場所制御システム。
【請求項９】
前記生息場所機能装置が、
作動命令を受信し、
前記作動命令の受信に応じて、生息場所において機能を実行する
ように構成される、請求項１から８の何れか一項に記載の生息場所制御システム。
【請求項１０】
サーバコンピューティングデバイスをさらに備え、該サーバコンピューティングデバイスが、命令を前記生息場所制御ハブに送信するように構成され、前記生息場所制御ハブが、前記サーバコンピューティングデバイスから命令を受信し、受信した前記命令を、前記生息場所機能装置に送信するように構成される、請求項１から９の何れか一項に記載の生息場所制御システム。
【請求項１１】
前記生息場所機能装置が、光機能装置を備え、発光モードを選択する命令を受信するように構成される、請求項１から１０の何れか一項に記載の生息場所制御システム。
【請求項１２】
前記生息場所制御ハブが、前記光機能装置に命令を送信して音楽に同期させた光を放出するように構成される、請求項１から１１の何れか一項に記載の生息場所制御システム。
【請求項１３】
温度機能装置をさらに備える、請求項１から１２の何れか一項に記載の生息場所制御システム。
【請求項１４】
カメラ機能装置をさらに備える、請求項１から１３の何れか一項に記載の生息場所制御システム。
【請求項１５】
生息場所をさらに含む、請求項１から１４の何れか一項に記載の生息場所制御システム。
【請求項１６】
前記生息場所がアクアリウムを含む、請求項１から１５の何れか一項に記載の生息場所制御システム。
【請求項１７】
生息場所機能装置を制御する方法において、
ユーザコンピューティングデバイスから、ユーザアカウントと関連付けられたアカウント識別情報をサーバコンピューティングデバイスに送信するステップと、
前記サーバコンピューティングデバイスから、ユーザアカウントと関連付けられた生息場所装置に関する情報であって、前記生息場所装置と関連付けられた生息場所機能装置の一覧を含む前記情報を受信するステップと、
前記生息場所機能装置の前記一覧の生息場所機能装置への命令を前記サーバコンピューティングデバイスに送信するステップと、
を含む前記方法。
【請求項１８】
生息場所装置の環境を管理する方法において、
コンピューティングデバイスで、ユーザからログイン情報を受信するステップと、
前記ログイン情報を用いて、サーバコンピューティングデバイスのユーザアカウントにログインするステップと、
前記サーバコンピューティングデバイスから、前記ユーザと関連付けられた生息場所装置に関する情報を受信するステップと、
前記生息場所装置と関連付けられた画像にアクセスするステップと、
前記画像に部分的に基づいて、前記生息場所装置と関連付けられた環境特性を評価するステップと、
評価された環境特性に基づいて提案をするステップと、
を含む前記方法。
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
基地局装置であって、
構成されたライセンス補助アクセスセカンダリーセルでチャネル状態を検知する検知部と、
カウンタを管理する管理部と、を備え、
チャネル検知に基づいてチャネルがアイドル状態であると検知された場合に、前記管理部は、前記チャネル検知に基づいて前記チャネルがアイドル状態であると検知された後にカウンタを低減させることと、前記チャネル検知に基づいて前記チャネルがアイドル状態であると検知された後に前記カウンタを一時停止させることと、のうちのいずれを行うべきかを判定し、
前記管理部は、第１のチャネル検知に基づき前記チャネルがアイドル状態であるとの検知がされた後であって、前記カウンタを当該検知後に低減させるべきと判定した後に、前記カウンタを低減させ、
第２のチャネル検知に基づき前記チャネルがアイドル状態であるとの検知がされた後であって、前記カウンタを当該検知後に一時停止させるべきと判定した後に、前記管理部は前記カウンタを一時停止して前記検知部は次のチャネル検知に移行する、
基地局装置。
【請求項２】
送信処理部を備え、
前記カウンタがゼロに到達した場合に、前記送信処理部は、前記基地局装置が送信を実行できるか否かを判定し、
前記基地局装置が前記送信を実行できると判定された場合には前記送信処理部は前記送信を実行し、
前記基地局装置が前記送信を実行できないと判定された場合には、前記送信処理部は、追加のチャネル検知が実行された後に送信を実行するように送信を遅延させる、
請求項１に記載の基地局装置。
【請求項３】
基地局装置によって実行される方法であって、
構成されたライセンス補助アクセスセカンダリーセルでチャネル状態を検知することと、
カウンタを管理することと、
チャネル検知に基づいてチャネルがアイドル状態であると検知された場合に判定を行うこととを含み、
当該判定は、前記チャネル検知に基づいて前記チャネルがアイドル状態であると検知された後にカウンタを低減させることと、前記チャネル検知に基づいて前記チャネルがアイドル状態であると検知された後に前記カウンタを一時停止させることと、のうちのいずれを行うべきかの判定であり、
第１のチャネル検知に基づき前記チャネルがアイドル状態であるとの検知がされた後であって、前記カウンタを当該検知後に低減させるべきと判定した後に、前記カウンタを低減させることと、
第２のチャネル検知に基づき前記チャネルがアイドル状態であるとの検知がされた後であって、前記カウンタを当該検知後に一時停止させるべきと判定した後に、前記カウンタを一時停止して次のチャネル検知に移行することと、
を含む方法。
【請求項４】
前記カウンタがゼロに到達した場合に、前記基地局装置が送信を実行できるか否かを判定することと、
前記基地局装置が前記送信を実行できると判定された場合には前記送信を実行することと、
前記基地局装置が前記送信を実行できないと判定された場合には、追加のチャネル検知が実行された後に送信を実行するように送信を遅延させることと、
を更に含む、請求項３に記載の方法。
【手続補正２】
【補正対象書類名】明細書
【補正対象項目名】発明の名称
【補正方法】変更
【補正の内容】
【発明の名称】基地局装置及び方法
【手続補正書】
【提出日】令和1年6月10日(2019.6.10)
【手続補正１】
【補正対象書類名】明細書
【補正対象項目名】発明の名称
【補正方法】変更
【補正の内容】
【発明の名称】装置及びＬＥＤ加熱装置を備えた静電チャック
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
静電チャックと、
該静電チャックより低い温度のベースと、
前記静電チャックと前記ベースとの間に配置される熱遮蔽と、を備え、
該熱遮蔽は、一面の上に、反射材料の層で覆われるポリイミド膜を備える、基板を保持するための装置。
【請求項２】
前記反射材料の層はアルミ二ウムを備える、請求項１に記載の基板を保持するための装置。
【請求項３】
前記反射材料の層は、化学気相蒸着、物理気相蒸着、プラズマ化学気相蒸着、又は、電子ビーム蒸着を用いて、前記ポリイミド膜の上に堆積される、請求項１に記載の基板を保持するための装置。
【請求項４】
前記反射材料の層は３０ナノメートルと１００ナノメートルとの間であり、前記ポリイミド膜の厚さは１ミルと５ミルとの間である、請求項１に記載の基板を保持するための装置。
【請求項５】
前記反射材料の層は、前記静電チャックにより近い前記ポリイミド膜の一面の上に配置される、請求項１に記載の基板を保持するための装置。
【請求項６】
前記熱遮蔽を前記静電チャックから分離するために、ワッシャの第１の組が用いられる、請求項１に記載の基板を保持するための装置。
【請求項７】
前記熱遮蔽を前記ベースから分離するために、ワッシャの第２の組が用いられる、請求項６に記載の基板を保持するための装置。
【請求項８】
前記熱遮蔽を前記静電チャックから分離するために、ワッシャが用いられる、請求項１に記載の基板を保持するための装置。
【請求項９】
前記静電チャック及び前記ベースは、１/１６インチと１/８インチとの間の距離だけ分離される、請求項１に記載の基板を保持するための装置。
【請求項１０】
静電チャックと、
該静電チャックより低い温度のベースであって、前記静電チャックから相隔たるベースと、
前記静電チャックと前記ベースとの間に配置される熱遮蔽であって、前記静電チャックに面する一面の上に、反射材料の層で覆われるポリイミド膜を備える熱遮蔽と、
前記熱遮蔽を前記静電チャック及び前記ベースから分離するワッシャと、を備える、基板を保持するための装置。
【請求項１１】
前記反射材料の層はアルミ二ウムを備える、請求項１０に記載の基板を保持するための装置。
【請求項１２】
前記反射材料の層は、化学気相蒸着、物理気相蒸着、プラズマ化学気相蒸着、又は、電子ビーム蒸着を用いて、前記ポリイミド膜の上に堆積される、請求項１０に記載の基板を保持するための装置。
【請求項１３】
前記反射材料の層は３０ナノメートルと１００ナノメートルとの間であり、前記ポリイミド膜の厚さは１ミルと５ミルとの間である、請求項１０に記載の基板を保持するための装置。
【請求項１４】
静電チャックと、
該静電チャックより低い温度のベースと、
前記静電チャックと前記ベースとの間に配置される熱遮蔽であって、前記静電チャックに、より近い一面の上に、反射材料の層で覆われる熱絶縁体を備える熱遮蔽と、を備える、基板を保持するための装置。
【請求項１５】
前記熱絶縁体の厚さは１ミルと５ミルとの間である、請求項１４に記載の基板を保持するための装置。
【手続補正２】
【補正対象書類名】明細書
【補正対象項目名】発明の名称
【補正方法】変更
【補正の内容】
【発明の名称】基板を保持するための装置
【手続補正３】
【補正対象書類名】明細書
【補正対象項目名】００２６
【補正方法】変更
【補正の内容】
【００２６】
図３は第３の実施形態を示す。本実施形態において、チャック１００及びベース１１０は、約１/１６インチと１/８インチとの間の距離だけ分離することができる。さらに、本実施形態において、熱遮蔽１５０は、直接、チャック１００の上に配置される。反射材料１５２の層は、直接、チャック１００の上に配置され、一方、ポリイミド膜１５１は、ベース１１０により近い反射材料１５２の層の面の上に配置される。本実施形態において、各ワッシャ１２１の高さは、ワッシャ１２０ａ及びワッシャ１２０ｂの組み合わせた高さにほぼ等しくすることができる。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
無線通信システムにおいて端末がＳＬＳＳ（ｓｉｄｅｌｉｎｋ  ｓｙｎｃｈｒｏｎｉｚａｔｉｏｎ  ｓｉｇｎａｌ）を送信する方法であって、
第１優先順位順序セット又は第２優先順位順序セットの降順に相対的優先順位に従って同期参照を選択するステップと、
前記選択された同期参照に基づいてＳＬＳＳを送信するステップと、を含み、
前記第１優先順位順序セットは、
ｉ）同期参照としてｅＮＢを有するＵＥと、
ii）同期参照として他のＵＥを有するＵＥと、
前記他のＵＥは同期参照としてｅＮＢを有し、
Iii）ＧＮＳＳ（Ｇｌｏｂａｌ  Ｎａｖｉｇａｔｉｏｎ  Ｓａｔｅｌｌｉｔｅ  Ｓｙｓｔｅｍｓ）と、
iv)同期参照としてＧＮＳＳを有するＵＥと、
v) 同期参照として他のＵＥを有するＵＥと、
前記他のＵＥは同期参照としてＧＮＳＳを有し、
ｖｉ)上記ii）〜v)に対応しないＵＥと、を含み、
前記第２優先順位順序セットは、
ａ）ＧＮＳＳと、
ｂ）同期参照としてＧＮＳＳ又はｅＮＢを有するＵＥと、
ｃ）同期参照として他のＵＥを有するＵＥと、
前記他のＵＥは同期参照としてＧＮＳＳ又はｅＮＢを有し、
ｄ）上記ｂ）、ｃ）に対応しないＵＥを含む、ＳＬＳＳ送信方法。
【請求項２】
いずれの優先順位順序セットが利用されるかは、予め設定されたソースタイプに基づいて決定される、請求項１に記載のＳＬＳＳ送信方法。
【請求項３】
前記ＳＬＳＳは、基地局から同期信号を直接受信し、基地局タイミングを同期として選択した端末から前記ＳＬＳＳの送信のために利用するものと同じリソースで送信される、請求項１に記載のＳＬＳＳ送信方法。
【請求項４】
前記端末は、基地局から同期信号を直接受信し、基地局タイミングを同期として選択した端末から前記ＳＬＳＳの送信に利用する所定ＰＳＢＣＨフィールドと同じＰＳＢＣＨフィールドを用いる、請求項１に記載のＳＬＳＳ送信方法。
【請求項５】
前記所定ＰＳＢＣＨフィールドは、ｃｏｖｅｒａｇｅ  ｉｎｄｉｃａｔｏｒフィールドであり、前記ｃｏｖｅｒａｇｅ  ｉｎｄｉｃａｔｏｒフィールドは１に設定される、請求項４に記載のＳＬＳＳ送信方法。
【請求項６】
前記端末と、基地局から同期信号を直接受信し、基地局タイミングを同期として選択した端末との間で、より大きなＲＳＲＰでＳＬＳＳを送信する端末が前記ＳＬＳＳによって選択される、請求項１に記載のＳＬＳＳ送信方法。
【請求項７】
前記ＧＮＳＳは、基地局の同期信号が受信されない場合、シンクソースとして最高の優先順位を有する、請求項１に記載のＳＬＳＳ送信方法。
【請求項８】
前記ＧＮＳＳと基地局との優先順位は、キャリアベースで決定される、請求項１に記載のＳＬＳＳ送信方法。
【請求項９】
キャリアベースで決定される優先順位は、前記基地局によりシグナルされる、請求項８に記載のＳＬＳＳ送信方法。
【請求項１０】
基地局は、キャリアの一つにおいて動作する、請求項１に記載のＳＬＳＳ送信方法。
【請求項１１】
前記端末はＶ２Ｖ（ｖｅｈｉｃｌｅ−ｔｏ−ｖｅｈｉｃｌｅ）端末である、請求項１に記載のＳＬＳＳ送信方法。
【請求項１２】
無線通信システムにおいてＳＬＳＳ（ｓｉｄｅｌｉｎｋ  ｓｙｎｃｈｒｏｎｉｚａｔｉｏｎ  ｓｉｇｎａｌ）を送信する端末装置であって、
送信装置と、
受信装置と、
プロセッサと、を備え、
前記プロセッサは、第１優先順位順序セット又は第２優先順位順序セットの降順に相対的優先順位に従って同期参照を選択し、前記選択された同期参照に基づいてＳＬＳＳを送信し、
前記第１優先順位順序セットは、
ｉ）同期参照としてｅＮＢを有するＵＥと、
ii）同期参照として他のＵＥを有するＵＥと、
前記他のＵＥは同期参照としてｅＮＢを有し、
Iii）ＧＮＳＳ（Ｇｌｏｂａｌ  Ｎａｖｉｇａｔｉｏｎ  Ｓａｔｅｌｌｉｔｅ  Ｓｙｓｔｅｍｓ）と、
iv)同期参照としてＧＮＳＳを有するＵＥと、
v) 同期参照として他のＵＥを有するＵＥと、
前記他のＵＥは同期参照としてＧＮＳＳを有し、
ｖｉ)上記ii）〜v)に対応しないＵＥと、を含み、
前記第２優先順位順序セットは、
ａ）ＧＮＳＳと、
ｂ）同期参照としてＧＮＳＳ又はｅＮＢを有するＵＥと、
ｃ）同期参照として他のＵＥを有するＵＥと、
前記他のＵＥは同期参照としてＧＮＳＳ又はｅＮＢを有し、
ｄ）上記ｂ）、ｃ）に対応しないＵＥを含む、端末装置。
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
ユーザ機器(UE)のためのワイヤレス通信の方法であって、
ワイヤレスローカルエリアネットワーク(WLAN)のアクセスポイントに関連付けるステップと、
複数のパブリックランドモバイルネットワーク(PLMN)エントリと、前記UEによってリストから特定のPLMNが選択されるべき条件を示す、前記複数のPLMNエントリのそれぞれに関連付けられる1つまたは複数の選択条件とを備える前記リストを取得するステップと、
PLMNに関連付けられる前記1つまたは複数の選択条件が満たされた場合に、前記リストから前記PLMNを選択するステップと
を備える、方法。
【請求項２】
前記1つまたは複数の選択条件が、
前記UEが第3世代パートナーシッププロジェクト(3GPP)アクセスタイプによって前記PLMNにすでに接続されていることと、
前記PLMNが前記UEにとってセルラーレベルで可視であり、前記UEが他のいずれのPLMNにも接続されていないことと、
前記UEが前記PLMNと同じ国内に位置することと、
前記PLMNがデフォルトのワイルドカードPLMNであることと、
前記PLMNが選択のために利用可能ではないことと
からなるグループから選択された少なくとも1つのメンバーを備える、請求項1に記載の方法。
【請求項３】
前記PLMNを選択する前記ステップが、前記1つまたは複数の選択条件が満たされていると決定されるまで、前記1つまたは複数の選択条件を使用して、前記リスト内の前記複数のPLMNエントリのそれぞれを連続的に評価するステップを備える、請求項1に記載の方法。
【請求項４】
前記選択されたPLMNに関連付けられる進化型パケットデータゲートウェイ(ePDG)を発見するステップと、
前記WLANアクセスポイントを使用して前記ePDGにアクセスするステップと、
前記ePDGを使用して前記選択されたPLMNに接続するステップと
をさらに備える、請求項1に記載の方法。
【請求項５】
前記ePDGを発見する前記ステップが、
前記選択されたPLMNの完全修飾ドメイン名(FQDN)ルールに少なくとも部分的に基づいて、前記ePDGのFQDNを決定するステップと、
前記FQDNのドメイン名サーバ(DNS)クエリを使用して、前記ePDGのインターネットプロトコル(IP)アドレスを取得するステップと
を備える、請求項4に記載の方法。
【請求項６】
前記選択されたPLMNの前記リスト内のエントリが前記FQDNを備え、
前記FQDNルールが、前記PLMNが選択されたときに、前記リスト内の前記エントリから前記ePDGの前記FQDNを取得することを備える、または、
前記選択されたPLMNの前記リスト内のエントリが、前記選択されたPLMNの識別情報を備え、
前記FQDNルールが、前記選択されたPLMNの前記識別情報から前記ePDGの前記FQDNを構築することを備える、または、
前記選択されたPLMNの前記リスト内のエントリが前記FQDNルールを備える、請求項5に記載の方法。
【請求項７】
前記ePDGについて決定された前記FQDNにロケーションエリアコード、経路指定エリアコード、またはトラッキングエリアコードをプリペンドまたはアペンドするステップをさらに備え、前記プリペンドまたはアペンドすることが前記FQDNルールに少なくとも部分的に基づく、請求項5に記載の方法。
【請求項８】
前記FQDNルールが、前記複数のPLMNエントリ内のPLMNエントリごとに異なる、または、前記FQDNルールが、前記複数のPLMNエントリ内のすべてのPLMNエントリに共通である、請求項5に記載の方法。
【請求項９】
前記選択されたPLMNに呼を確立する要求を送信するステップと、
前記選択されたPLMNから応答を受信するステップであって、前記応答が代替ePDGの識別情報を備える、ステップと、
前記WLANアクセスポイントを使用して前記代替ePDGに接続するステップと、
前記代替ePDGを使用して前記呼を確立するステップと
をさらに備える、請求項4に記載の方法。
【請求項１０】
前記応答がセッション開始プロトコル(SIP)380応答である、請求項9に記載の方法。
【請求項１１】
前記代替ePDGの前記識別情報が、
FQDNと、
IPアドレスと、
代替PLMNの識別情報と、
異なるPLMNを使用することの指示と
からなるグループから選択される少なくとも1つのメンバーを備える、請求項9に記載の方法。
【請求項１２】
前記WLANが信頼できないWLANである、請求項1に記載の方法。
【請求項１３】
PLMNエントリの前記リストを取得する前記ステップが、前記UEにおいて構成されたデータから前記リストを取得するステップを備える、請求項1に記載の方法。
【請求項１４】
ワイヤレス通信のためのユーザ機器(UE)であって、
ワイヤレスローカルエリアネットワーク(WLAN)のアクセスポイントに関連付けるための手段と、
複数のパブリックランドモバイルネットワーク(PLMN)エントリと、前記UEによってリストから特定のPLMNが選択されるべき条件を示す、前記複数のPLMNエントリのそれぞれに関連付けられる1つまたは複数の選択条件とを備える前記リストを取得するための手段と、
PLMNに関連付けられる前記1つまたは複数の選択条件が満たされた場合に、前記リストから前記PLMNを選択するための手段と
を備える、ユーザ機器。
【請求項１５】
ユーザ機器(UE)のためのワイヤレス通信のためのコンピュータ実行可能コードを記憶するコンピュータ可読媒体であって、1つまたは複数のプロセッサによって実行されると、
前記UEに、請求項1から13のいずれか一項に記載の方法を実行させるコードを備える、コンピュータ可読媒体。
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
ユーザ機器(UE)を第1のネットワークから第2のネットワークにリダイレクトするための方法であって、前記第1のネットワークが、前記前記第1のネットワークのワイヤレスアクセスポイントによって実行されるニュートラルホスト(NH)ネットワークであり、前記方法が、
1つまたは複数のモバイルネットワーク事業者(MNO)ネットワークについて、前記UEに関する情報を判定するステップであって、前記第1のネットワークが、前記1つまたは複数のMNOネットワークと直接対話しない、ステップと、
前記判定された情報に基づいて、前記1つまたは複数のMNOネットワークの中からリダイレクション用の前記第2のネットワークを選択するステップであって、前記第2のネットワークが、MNOに関連付けられた、UEに関する1次ネットワークである、ステップと、
前記第1のネットワークと前記第2のネットワークとが直接対話しないためにハンドオーバがサポートされない場合、前記UEを前記第1のネットワークから前記第2のネットワークにリダイレクトするリダイレクションメッセージを前記UEに送信するステップであって、前記リダイレクションメッセージが、前記第2のネットワークに再接続するための前記UEに関する情報を提供する、ステップと
を備える、方法。
【請求項２】
前記1つまたは複数のMNOネットワークについて、前記UEに関する情報を判定するステップが、
前記第2のネットワークのパブリックランドモバイルネットワーク識別子(PLMN ID)を含むメッセージを前記UEから受信するステップと、
前記UEと前記第2のネットワークの前記PLMN IDとの間のマッピングを維持するステップと
を備える、請求項1に記載の方法。
【請求項３】
前記メッセージがUE能力情報メッセージを備え、前記UE能力情報メッセージが前記第2のネットワークの帯域情報を含む、請求項2に記載の方法。
【請求項４】
前記1つまたは複数のMNOネットワークの中からリダイレクション用の前記第2のネットワークを選択するステップが、前記受信されたPLMN IDに基づいて前記第2のネットワークを選択するステップを備える、請求項2に記載の方法。
【請求項５】
前記1つまたは複数のMNOネットワークについて、前記UEに関する情報を判定するステップが、
前記UEから、前記UEの以前に訪問したネットワークに関するハンドオーバ情報を受信するステップと、
前記ハンドオーバ情報からMNOネットワークについての情報を抽出するステップと、
前記UEと前記抽出された情報との間のマッピングを維持するステップと
を備える、請求項1に記載の方法。
【請求項６】
前記1つまたは複数のMNOネットワークについて、前記UEに関する情報を判定するステップが、
前記UEが前記第2のネットワークから前記第1のネットワークに移動するときに前記第2のネットワークからハンドオーバ要求を受信するステップと、
前記ハンドオーバ要求からMNOネットワークについての情報を抽出するステップと、
前記UEと前記抽出された情報との間のマッピングを維持するステップと
を備える、請求項1に記載の方法。
【請求項７】
前記1つまたは複数のMNOネットワークについて、前記UEに関する情報を判定するステップが、
1つまたは複数の近隣アクセスポイントによってブロードキャストされたメッセージをリッスンするステップと、
近隣アクセスポイントがマクロアクセスポイントに関連付けられた物理セル識別子(PCI)の範囲内にあるPCIを含むメッセージをブロードキャストするかどうかに基づいて、前記1つまたは複数の近隣アクセスポイントのうちの1つまたは複数をマクロアクセスポイントとして識別するステップと
を備える、請求項1に記載の方法。
【請求項８】
前記1つまたは複数のMNOネットワークについて、前記UEに関する情報を判定するステップが、
前記UEから測定報告を受信するステップと、
前記測定報告に基づいて、1つまたは複数の近隣セルについての情報を判定するステップと
を備える、請求項1に記載の方法。
【請求項９】
前記1つまたは複数のMNOネットワークについて、前記UEに関する情報を判定するステップが、
前記ワイヤレスアクセスポイントに運用および管理(OAM)構成ファイルをプロビジョニングするステップと、
前記OAM構成ファイルに基づいて、前記1つまたは複数のMNOネットワークに関する帯域情報を判定するステップと
を備える、請求項1に記載の方法。
【請求項１０】
前記1つまたは複数のMNOネットワークについて、前記UEに関する情報を判定するステップが、
前記ワイヤレスアクセスポイントにおいて、前記1つまたは複数のMNOネットワークに関する情報を前記UEから受信するステップと、
前記ワイヤレスアクセスポイントにおいて、前記1つまたは複数のMNOネットワークについての追加の情報を判定するステップと、
前記UEからの前記情報を前記ワイヤレスアクセスポイントにおいて判定された前記追加の情報と組み合わせるステップと
を備える、請求項1に記載の方法。
【請求項１１】
前記UEからの前記情報が前記第2のネットワークのPLMN IDを備え、前記追加の情報が前記第2のネットワークに関する帯域情報を備える、請求項10に記載の方法。
【請求項１２】
前記1つまたは複数のMNOネットワークの中から前記第2のネットワークを選択するステップが、前記判定された情報に基づいて、前記UEが前記第2のネットワークに関連付けられると判定するステップを備える、請求項1に記載の方法。
【請求項１３】
第2のリダイレクションメッセージを第2のUEに送信するステップであって、前記第2のリダイレクションメッセージが、前記第2のUEを前記1つまたは複数のMNOネットワークの中からの第3のネットワークにリダイレクトする、ステップをさらに備える、請求項1に記載の方法。
【請求項１４】
請求項1〜13のいずれか一項に記載の方法を行うための手段を備える、ワイヤレスアクセスポイント。
【請求項１５】
請求項1〜13のいずれか一項に記載の方法をコンピュータに行わせるためのコードを備える、非一時的コンピュータ可読記録媒体。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1の周期で制御シンボルの第1の複数のサブキャリアに制御トーンを挿入するステップと、
第2の周期で前記制御シンボルの第2の複数のサブキャリにパイロットトーンを挿入するステップであり、前記制御シンボル内で前記パイロットトーンが前記制御トーンからオフセットされ、前記制御シンボルは、空いているサブキャリアによって分離された交互の制御トーンおよびパイロットトーンを含む、ステップと、
前記制御シンボルを送信するステップと
を含む方法。
【請求項２】
前記第2の周期で前記パイロットトーンを挿入するステップが、
n個のサブキャリアごとに前記パイロットトーンを挿入するステップであって、nが1よりも大きい値である、ステップと、
チャネル遅延スプレッド、位相雑音レベル、チャネル雑音レベル、またはそれらの組合せに少なくとも部分的に基づいてnを決定するステップと
をさらに含む、請求項1に記載の方法。
【請求項３】
チャネル遅延スプレッドおよび位相雑音レベルのうちの一方または両方に少なくとも部分的に基づいて前記オフセットを決定するステップ
をさらに含む、請求項1に記載の方法。
【請求項４】
前記オフセットが4つのサブキャリアを含む、請求項1に記載の方法。
【請求項５】
前記第1の周期が前記第2の周期に等しく、
前記第1の周期および前記第2の周期が、前記制御シンボルの周波数領域において8トーンごとである、請求項1に記載の方法。
【請求項６】
前記制御シンボルを送信するステップが、
前記パイロットトーンよりも低い電力で前記制御トーンを送信するステップ
をさらに含む、請求項1に記載の方法。
【請求項７】
1つのサブフレームで少なくとも2つの制御シンボルを送信するステップであり、前記少なくとも2つの制御シンボルを送信する周波数が、ワイヤレスデバイスの速度およびチャネル変更の周波数に少なくとも部分的に基づく、ステップをさらに含み、
前記少なくとも2つの制御シンボルが、パイロットトーンおよびヌルトーンのみを含むシンボルを含み、
前記ワイヤレスデバイスがミリ波(mmW)の無線を含む、請求項1に記載の方法。
【請求項８】
前記制御シンボルを送信するステップが、ミリ波(mmW)の無線スペクトル周波数内で前記制御シンボルを送信するステップをさらに含む、請求項1に記載の方法。
【請求項９】
擬似雑音シーケンスもしくはZadoff-Chuシーケンス、ユーザ機器(UE)識別(ID)、ビームID、またはそれらの組合せに少なくとも部分的に基づいて一連のパイロットトーンの位相を決定するステップ
をさらに含む、請求項1に記載の方法。
【請求項１０】
離散フーリエ変換により前記制御トーンのための制御情報をプリコーディングするステップ
をさらに含む、請求項1に記載の方法。
【請求項１１】
ワイヤレス通信のための装置であって、
第1の周期で制御シンボルの第1の複数のサブキャリアに制御トーンを挿入するための手段と、
第2の周期で前記制御シンボルの第2の複数のサブキャリにパイロットトーンを挿入するための手段であり、前記制御シンボル内で前記パイロットトーンが前記制御トーンからオフセットされ、前記制御シンボルは、空いているサブキャリアによって分離された交互の制御トーンおよびパイロットトーンを含む、手段と、
前記制御シンボルを送信するための手段と
を含む装置。
【請求項１２】
ワイヤレス通信のための方法であって、
第1の周期で第1の複数のサブキャリアに制御トーンを含み、第2の周期で第2の複数のサブキャリにパイロットトーンを含む制御シンボルを受信するステップであり、前記制御シンボル内で前記パイロットトーンが前記制御トーンからオフセットされ、前記制御シンボルは、空いているサブキャリアによって分離された交互の制御トーンおよびパイロットトーンを含む、ステップと、
前記パイロットトーンから位相雑音推定およびチャネル推定を実行するステップと
を含む方法。
【請求項１３】
前記制御トーンから制御情報を決定するステップであり、前記制御情報を決定することが、チャネルおよび位相雑音推定に少なくとも部分的に基づく、ステップをさらに含むか、または
前記位相雑音推定および前記チャネル推定を実行するステップが、
前記位相雑音推定に基づいて前記制御シンボルを補償するステップと、
前記補償された位相雑音に基づいて前記チャネル推定を実行するステップと
をさらに含む、請求項12に記載の方法。
【請求項１４】
ワイヤレス通信のための装置であって、
第1の周期で第1の複数のサブキャリアに制御トーンを含み、第2の周期で第2の複数のサブキャリにパイロットトーンを含む制御シンボルを受信するための手段であり、前記制御シンボル内で前記パイロットトーンが前記制御トーンからオフセットされ、前記制御シンボルは、空いているサブキャリアによって分離された交互の制御トーンおよびパイロットトーンを含む、手段と、
前記パイロットトーンから位相雑音推定およびチャネル推定を実行するための手段と
を含む装置。
【請求項１５】
ワイヤレス通信のためのコードを記憶したコンピュータ可読記憶媒体であって、前記コードが、請求項1から10、12、および13のいずれか一項に記載の方法を行うように実行可能である命令を含む、コンピュータ可読記憶媒体。